(57)【要約】【課題】パチンコ店等におけるパチンコ島に並設されたパチンコ台の台間に設置された遊技媒体貸出機において、この遊技媒体貸出機の引抜き保守作業を他の利用客に影響を与えず、容易且つ利便に行うことができるようにした遊技媒体貸出機を提供する。【解決手段】遊技島に並設された複数の遊技台１、１…の台間に設けられてなる遊技媒体貸出機（台間玉貸機２）において、遊技媒体貸出機（台間玉貸機２）は夫々の遊技台１の台間に取り付けられたフレーム３と該フレーム３に設けられた遊技媒体貸出機本体（玉貸機本体４）とから成り、該遊技媒体貸出機本体（玉貸機本体４）は上方の機構部５と下方の制御部６とに分離され、上方の機構部５がフレーム３に設けられたスライド機構７により前方に引き出し可能であると共に、該機構部５を引き出した状態で前記スライド機構７に設けられた回動機構８により前記遊技台１の正面側に回動可能とされたものである。【選択図】図４
2007252435.tif 000002
【特許請求の範囲】
【請求項１】
遊技島に並設された複数の遊技台の台間に設けられてなる遊技媒体貸出機において、該遊技媒体貸出機は夫々の遊技台の台間に取り付けられたフレームと該フレームに設けられた遊技媒体貸出機本体とから成り、該遊技媒体貸出機本体は上方の機構部と下方の制御部とに分離され、前記機構部がフレームに設けられたスライド機構により前方に引き出し可能にされると共に、該機構部を引き出した状態で前記スライド機構に設けられた回動機構により前記遊技台の正面側に回動可能とされたことを特徴とする遊技媒体貸出機。
【発明の詳細な説明】
【技術分野】
【０００１】
本発明は、パチンコ店等における遊技島に並設された遊技機の台間に設置された遊技媒体貸出機に関する。
【背景技術】
【０００２】
一般に、パチンコ店等においては、遊技島に複数の遊技台が並設され、このように並設された遊技台の台間に台間玉貸機が設置されている。このような台間玉貸機の従来例として、特許文献１の装置について説明すると、その構造は、図５に示すように、パチンコ島側に取り付けられた薄形筐体５０の前面に引出口５１ａが設けられ、その内部の上下位置にレース板５２ａ、５２ｂが設けられると共に、電子式検銭、玉計数部及び制御部等を内蔵した玉貸しモジュール５３が上記の引出口５１ａからレース板５２ａ、５２ｂに沿って挿し込まれる引出し型装填構造とされている。
【０００３】
上記の構造は、玉貸しモジュール５３を薄形筐体５０の引出口５１ａから挿抜式に着脱する構成を有し、内部の検銭部等に故障が生じた場合、玉貸しモジュール５３を引き出すことにより正常なモジュールに交換した後、このモジュールを挿し込むことによって、迅速に復旧させることを可能としたものである。
【特許文献１】特開平８−２５７２２９号公報
【発明の開示】
【発明が解決しようとする課題】
【０００４】
ところが、特許文献１に開示された装置は、上記のように、ユニット化された玉貸しモジュール５３を取り出して交換する構造であり、交換時に、ユニットを落下させると破損するおそれがあるため、取り扱いには細心の注意が必要であった。
【０００５】
また、上記の玉貸しモジュール５３においては、機構部と制御部とが一体的に組み込まれたユニット全体を交換する構造であるため、部分的な不具合であってもユニット全体を交換する必要があり、不経済であった。
【０００６】
また、一般的な台間玉貸機においては、遊技台の台間に設けられたフレームより玉貸機本体を引抜いてから保守作業を行うようにしているが、従来の玉貸機本体は一体的に構成されているため、作業が大掛かりになるという不都合がある。また、この保守作業中に、隣設する遊技台の遊技者に迷惑を及ぼしたり、他の遊技者の邪魔になったりする等、遊技者に好ましくない影響を与えるおそれがある。
【０００７】
本発明は、このような事情に鑑みてなされたもので、パチンコ店等における遊技島に並設された遊技台の台間に設置された遊技媒体貸出機において、遊技媒体貸出機の引抜き保守作業を他の遊技者に影響を与えず、容易且つ利便に行うことができるようにした遊技媒体貸出機を提供することを目的とする。
【課題を解決するための手段】
【０００８】
上記の問題を解決するために、本発明の請求項１の遊技媒体貸出機は、遊技島に並設された複数の遊技台の台間に設けられてなる遊技媒体貸出機において、該遊技媒体貸出機は夫々の遊技台の台間に取り付けられたフレームと該フレームに設けられた遊技媒体貸出機本体とから成り、該遊技媒体貸出機本体は上方の機構部と下方の制御部とに分離され、前記機構部がフレームに設けられたスライド機構により前方に引き出し可能にされると共に、該機構部を引き出した状態で前記スライド機構に設けられた回動機構により前記遊技台の正面側に回動可能とされたことを特徴とする。
【発明の効果】
【０００９】
本発明による遊技媒体貸出機によれば、遊技媒体貸出機本体は上方の機構部と下方の制御部とに分離され、上方の機構部がフレームに設けられたスライド機構により前方に引き出し可能にされると共に、該機構部を引き出した状態でスライド機構に設けられた回動機構により遊技台の前面側に回動することができるため、遊技媒体貸出機本体の機構部を構成する各種機器を遊技台の正面に向かせることができ、これによって、作業者は、隣設する遊技台の遊技者の邪魔にならない状態で機構部の各種機器に関する保守を容易に行うことが可能となる。
【００１０】
また、本発明の構成において、遊技媒体貸出機本体を上方の機構部と下方の制御部とに分離する仕切枠が設けられると共に、フレームの天部をなす天面枠と仕切枠の夫々の間に設けられたスライド枠を介して機構部が引き出し可能とされた構成により、機構部の上下にスライド枠が介在されている分、該機構部を前方へ引き出すことができる。さらに、上下のスライド枠の先端付近に設けられた回動機構によって機構部が遊技台の正面側に回動されるため、機構部の各種機器は、遊技台の正面に位置する作業者に向けて露呈されることにより、他の遊技者の邪魔にならない状態で、作業者による保守作業が可能となる。
【発明を実施するための最良の形態】
【００１１】
以下、本発明の実施例について図面を参照しながら説明する。
【実施例１】
【００１２】
本発明による実施例の台間玉貸機（遊技媒体貸出機）２の保守機構は、図１〜４に示すように、遊技島に並設された複数の遊技台１、１…の台間に設けられてなる台間玉貸機２の保守機構において、台間玉貸機２は夫々の遊技台１、１…の台間に取り付けられたフレーム３と該フレーム３に設けられた玉貸機本体（遊技媒体貸出機本体）４とから成り、該玉貸機本体４は上方の機構部５と下方の制御部６とに分離され、上方の機構部５が該フレーム３に設けられたスライド機構７により前方に引き出し可能にされると共に、機構部５を引き出した状態でスライド機構７に設けられた回動機構８により遊技台１、１…の正面側に回動可能とされた構成を有するものである。
【００１３】
このような構成について詳細に述べると、図１は、遊技島に並設された複数の遊技台１、１…の台間に設けられてなる台間玉貸機２を示すものであり、台間玉貸機２を保持するフレーム３の本体は台間において固定されている。即ち、図２に示すように、フレーム３の本体をなす背面枠１０と底面枠１１と天面枠１２とは互いに結合され、さらに底面枠１１の前端には下方前面枠１３が結合されると共に、下方前面枠１３の上端に仕切枠１４の前端が結合され、この仕切枠１４の後端が背面枠１０に結合されることによってフレーム３の全体を仕切枠１４で上下に分割した状態にしている。
【００１４】
このようなフレーム３の構成において、仕切枠１４の下部はフレーム３に固定され、その内部に玉貸機本体４の制御部１５が電源部１６と共に収納されている。また、上記したフレーム３の上方部を形成する天面枠１２と仕切枠１４との間には空きスペースが形成され、この空きスペースに玉貸機本体４の機構部５が、その上下部に設けられたスライド機構７、７により前方に引き出し可能に収納されている。
【００１５】
ここで、上記のスライド機構７の具体例を説明する。図３(ａ)及び(ｂ)において、フレーム３の天部を成す天面枠１２にはその両端が下方に折曲されてなる折曲片１２ａ、１２ａが形成されている。一方、玉貸機本体４の機構部５の前面をなす上方前面枠１7の内部には機構部５の各種機器を取り付けるための取付板１８が固定され、この取付板１８の上辺と下辺とが水平状に折り曲げられてなる上部枠１９ａと下部枠１９ｂとが形成されている。
【００１６】
なお、上記の取付板１８に取り付けられた各種機器として、上方の紙幣識別機２０、その下方に取り付けられた硬貨選別機２１、この硬貨選別機２１の上下部に取り付けられた硬貨通路２２、さらにその下方に取り付けられたカード識別機２３等によって、玉貸機本体４の機構部５の内部が構成されている。また、機構部５の前面をなす上方前面枠１7の前面には化粧パネル２４が固設され、この化粧パネル２４には、内部の機器に応じて、上方から、紙幣入口２５、硬貨投入口２６、硬貨返却ボタン２７、表示部２８、選択ボタン２９、硬貨返却口３０、カード挿入口３１が設けられた構成とされている。
【００１７】
さらに、機構部５の上部枠１９ａとフレーム３の天面枠１２との間には上方スライド枠３２が介在されている。図３(ｂ)に示すように、この上方スライド枠３２は両端が上方に折り返された係止片３２ａ、３２ａを有し、該係止片３２ａ、３２ａが天面枠１２の下部に固設された係止部材３３の両片に摺動自在に嵌合されたことにより、上方スライド枠３２が天面枠１２の長手方向に沿って引き出し可能とされ、上方スライド枠３２に形成された後端片３２ｂが天面枠１２の係止部材３３に当接した時点で上方スライド枠３２の引き出しが停止される。また、図４に示すように、この上方スライド枠３２の下部前端付近にはローラ３４ａが固設されている。
【００１８】
一方、取付板１８の下部枠１９ｂと仕切枠１４との間には下方スライド枠３５が介在されている。図３(ｂ)に示すように、この下方スライド枠３５は両端が下方に折り返された係止片３５ａ、３５ａを有し、該係止片３５ａ、３５ａが仕切枠１４の上部に固設された係止部材３４の両片に摺動自在に嵌合されたことにより、下方スライド枠３５が仕枠１４の長手方向に沿って引き出し可能とされ、下方スライド枠３５の後端片３５ｂが仕切枠１４の係止部材３４に当接した時点で下方スライド枠３５の引き出しが停止される。また、図４に示すように、この下方スライド枠３５の上部前端付近にはローラ３４ｂが固設されている。
【００１９】
このような構成において、図３(ａ)に示すように、上方スライド枠３２のローラ３４ａが上部枠１９ａの上面に沿って転動可能に当接すると共に、上部枠１９ａのローラ３４ｂが上方スライド枠３２の下面に沿って転動するように当接され、また下方スライド枠３５のローラ３４ｄが下部枠１９ｂの下面に沿って転動可能に当接すると共に、下部枠１９ｂのローラ３４ｃが下方スライド枠３５の上面に沿って転動するように当接された構成により、玉貸機本体４の機構部５が前方に引き出し又は引き戻し可能とされている。
【００２０】
さらに、玉貸機本体４の機構部５を前方に引き出した際、上方スライド枠３２のローラ３４ａと上部枠１９ａのローラ３４ｂとが互いに当接すると共に、下方スライド枠３５のローラ３４ｄと下方スライド枠３５のローラ３４ｃが互いに当接した時点で、玉貸機本体４の機構部５の引き出し動作が停止する。このような構成によって、玉貸機本体４の機構部５を引き出す際の引き出し量が制御されると共に、機構部５の落下が防止される。また、機構部５の上下にスライド枠３２、３５が介在されている分、機構部５を前方へ引き出す際の引き出し量を延長することができる。
【００２１】
さらに、上部枠１９ａに設けられたローラ３４ｂに対して該上部枠１９ａが回動するように回動部材３６ａが取り付けられると共に、下部枠１９ｂに設けられたローラ３４ｃに対して下部枠１９ｂが回動するように回動部材３６ｂが取り付けられたことにより、上記のように玉貸機本体４の機構部５を引き出した状態で、該玉貸機本体４の機構部５をその右側に設けられた一対に使用される遊技台１（図１参照）の正面側に回動することができ、機構部５の各種機器は遊技台の正面に位置する作業者に向けて露呈され、他の遊技者の邪魔にならない状態で、作業者による保守作業が可能となる。
【００２２】
なお、この保守が終了すると、玉貸機本体４の機構部５を元の状態に回動して、後方へ押し戻すことにより、玉貸機本体４の機構部５を元の状態に収納することが可能である。
【００２３】
また、上記の回動機構において、回動部材３６ａ、３６ｂの構造に、回動角度を段階的に係止可能にしたロック機構を設けることによって、玉貸機本体４の機構部５を所望角度だけ開いた状態にして停止させることも可能である。さらに、上記の回動機構に、玉貸機本体４の機構部５の回動角度が９０度以上回動しないように構成したストッパを設けてもよい。
【産業上の利用可能性】
【００２４】
本発明の遊技媒体貸出機は、パチンコ店等における遊技島に並設された遊技台の台間に設置された遊技媒体貸出機において、遊技媒体貸出機の引抜き保守作業を他の遊技者に影響を与えず、容易且つ利便に行うことができる遊技媒体貸出機として利用することが可能である。
【図面の簡単な説明】
【００２５】
【図１】本発明における遊技島に並設された遊技機と台間玉貸機（遊技媒体貸出機）の設置状態を示す斜視図である。
【図２】本発明における台間玉貸機（遊技媒体貸出機）の内部構造を示す斜視図である。
【図３】(ａ)は本発明における台間玉貸機（遊技媒体貸出機）の機構部を引き出した状態を示す斜視図であり、(ｂ)は天面枠と上方スライド枠との係合関係、及び仕切枠と下方スライド枠との係合関係を示す図である。
【図４】本発明における台間玉貸機（遊技媒体貸出機）の機構部を引き出して該機構部を正面に向けて回動した状態を示す斜視図である。
【図５】特許文献１の台間玉貸機を示す斜視図である。
【符号の説明】
【００２６】
１  遊技台
２  台間玉貸機（遊技媒体貸出機）
３  フレーム
４  玉貸機本体（遊技媒体貸出機本体）
５  機構部
６  制御部
７  スライド機構
８  回動機構
１０  背面枠
１１  底面枠
１２  天面枠
１２ａ  折曲片
１３  下方前面枠
１４  仕切枠
１５  制御部
１６  電源部
１７  上方前面枠
１８  取付板
１９ａ  上部枠
１９ｂ  下部枠
２０  紙幣識別機
２１  硬貨選別機
２２  硬貨通路
２３  カード識別機
２４  化粧パネル
２５  紙幣入口
２６  硬貨投入口
２７  硬貨返却ボタン
２８  表示部
２９  選択ボタン
３０  硬貨返却口
３１  カード挿入口
３２  上方スライド枠
３２ａ  係止片
３２ｂ  後端片
３３  係止部材
３４  係止部材
３４ａ  上方スライド枠のローラ
３４ｂ  上部枠のローラ
３４ｃ  下部枠のローラ
３４ｄ  下方スライド枠のローラ
３５  下方スライド枠
３５ａ  係止片
３５ｂ  後端片
３６ａ  回動部材
３６ｂ  回動部材
【図１】
2007252435.tif 000003
【図２】
2007252435.tif 000004
【図３】
2007252435.tif 000005
【図４】
2007252435.tif 000006
【図５】
2007252435.tif 000007